(57)【要約】【課題】椅子に特別の用具を取り付けることなく、バッグやポーチなどの手荷物を綺麗に、しかも安全に収納して、無理なく腰掛けることのできる収納部付き椅子を提供する。【解決手段】略水平に設けられた座部３と、座部３に対して略垂直に設けられた背もたれ部２と、背もたれ部２の下方で且つ座部３の背もたれ部２側に設けられた収納部４と、座部３から背もたれ部２へと至る方向に対し直交する方向における収納部４の両側部を覆う遮蔽部１０、１０と、を有する構成とする。【選択図】図１
0003113517.tif 000002
【実用新案登録請求の範囲】
【請求項１】
略水平に設けられた座部と、前記座部に対して略垂直に設けられた背もたれ部と、前記背もたれ部の下方で且つ前記座部の前記背もたれ部側に設けられた収納部と、前記座部から前記背もたれ部へと至る方向に対し直交する方向における前記収納部の両側部を覆う遮蔽部と、を有することを特徴とする収納部付き椅子。
【請求項２】
前記収納部は、前記座部及び前記背もたれ部を連結する、前記背もたれ部の表面よりも前記座部とは反対側に窪み、前記座部の表面よりも下側に窪んだ収納部壁面により規定されることを特徴とする請求項１に記載の収納部付き椅子。
【請求項３】
前記座部、前記背もたれ部及び前記収納部壁面を備える椅子本体と、
前記座部から前記背もたれ部に至る方向に対し直交する方向における前記椅子本体の両側部に連結され、前記遮蔽部を各々が備える第１、第２の枠体と、
を有することを特徴とする請求項２に記載の収納部付き椅子。
【請求項４】
前記椅子本体は、
前記背もたれ部の表面、前記座部の表面及び前記収納部壁面を形成する表面部材と、
前記表面部材に併設され、少なくとも前記背もたれ部の一部を含む領域及び前記座部の一部を含む領域にて前記表面部材の面から離間された背面部材と、
前記表面部材と前記背面部材との前記離間部に充填された弾性緩衝部材と、
を有することを特徴とする請求項３に記載の収納部付き椅子。
【請求項５】
前記弾性緩衝部材は、発泡弾性部材であることを特徴とする請求項４に記載の収納部付き椅子。
【請求項６】
前記発泡弾性部材は、前記表面部材、前記背面部材及び前記第１、第２の枠体が組み立てられた状態で、前記離間部に注入されて発泡して形成されることを特徴とする請求項５に記載の収納部付き椅子。
【請求項７】
前記表面部材は、１枚の板材を屈曲して形成されることを特徴とする請求項４、５又は６に記載の収納部付き椅子。
【請求項８】
前記表面部材は、目視にて透視不可能な材料で形成されることを特徴とする請求項４〜７のいずれかの項に記載の収納部付き椅子。
【請求項９】
前記背面部材は、１枚の板材を屈曲して形成されることを特徴とする請求項４〜８のいずれかの項に記載の収納部付き椅子。
【請求項１０】
前記背面部材は、目視にて透視不可能な材料で形成されることを特徴とする請求項４〜９のいずれかの項に記載の収納部付き椅子。
【請求項１１】
前記第１、第２の枠体はそれぞれ、１枚の板材から形成されることを特徴とする請求項３〜１０のいずれかの項に記載の収納部付き椅子。
【請求項１２】
前記第１、第２の枠体はそれぞれ、目視にて透視不可能な材料で形成されることを特徴とする請求項３〜１１のいずれかの項に記載の収納部付き椅子。
【請求項１３】
前記収納部は、前記背もたれ部の表面よりも前記座部とは反対側に最大で１０ｃｍ〜１８ｃｍの奥行きを有し、又前記座部の表面よりも下側に最大で１０ｃｍ〜２５ｃｍの深さを有することを特徴とする請求項１〜１２のいずれかの項に記載の収納部付き椅子。
【考案の詳細な説明】
【技術分野】
【０００１】
本考案は、収納部付き椅子に関するものであり、より詳細には、椅子の使用者がバッグやポーチなどの手荷物を一時的に置く必要が生じることの多いカフェやレストランなどにおいて好適に用いられる収納部付き椅子に関するものである。
【背景技術】
【０００２】
例えば、カフェやレストランなどで使用される一般的な椅子は、バッグやポーチなどの手荷物を収納する機能を欠いている。
【０００３】
そのため、カフェやレストランなどにおいて、バッグやポーチを自分の横の座席に置いたり、自分の席の背もたれと腰との間に置いたりすることが頻繁に見られる。背もたれと腰との間に手荷物を置く場合、使用者は、多少浅く椅子に腰掛けなければならず、背もたれを使用できずに非常に窮屈な姿勢を強いられる。
【０００４】
一方、カフェやレストランなど、不特定の人の出入りする公衆の場では、置き引き、引ったくりといった盗難事件が発生し易い。上述のように、手荷物を自分の横の座席に置いたり、背もたれと腰との間に置いたりすることは、手荷物が置き引きや引ったくりを引き起こす者の目に付き易いばかりか、そのような盗難に対して無防備である。
【０００５】
ここで、特許文献１は、椅子に取り付けられる小物収納具を開示する。この小物収納具は、側面が略Ｕ字状に形成されて、上側開口部より小物を収納し得るものであり、その背面に形成されたクリップ、及び、その上部に設けられた凸部を利用して、椅子の脇に取り付けられる。
【０００６】
この先行技術によれば、椅子の使用者は、バッグやポーチなどの手荷物を、自分の席の脇に取り付けられた小物収納具内に置くことができるが、収納部の内部を外部から見ることができ、又外部から収納部内にアクセスすることが容易であり、やはり盗難に対しては無防備である。又、この先行技術は、通常の椅子の脇に特別な収納具を取り付けるものであるので、盗難を引き起こす者の目に付くばかりか、椅子の外観としても好ましくない。
【特許文献１】実開平５−９１４５４号公報
【考案の開示】
【考案が解決しようとする課題】
【０００７】
従って、本考案の目的は、椅子に特別の用具を取り付けることなく、バッグやポーチなどの手荷物を綺麗に、しかも安全に収納して、無理なく腰掛けることのできる収納部付き椅子を提供することである。
【課題を解決するための手段】
【０００８】
上記目的は本考案に係る収納部付き椅子にて達成される。要約すれば、本考案は、略水平に設けられた座部と、前記座部に対して略垂直に設けられた背もたれ部と、前記背もたれ部の下方で且つ前記座部の前記背もたれ部側に設けられた収納部と、前記座部から前記背もたれ部へと至る方向に対し直交する方向における前記収納部の両側部を覆う遮蔽部と、を有することを特徴とする収納部付き椅子である。
【０００９】
本考案の一実施態様によると、前記収納部は、前記座部及び前記背もたれ部を連結する、前記背もたれ部の表面よりも前記座部とは反対側に窪み、前記座部の表面よりも下側に窪んだ収納部壁面により規定される。
【００１０】
又、本考案の一実施態様によると、前記座部、前記背もたれ部及び前記収納部壁面を備える椅子本体と；前記座部から前記背もたれ部に至る方向に対し直交する方向における前記椅子本体の両側部に連結され、前記遮蔽部を各々が備える第１、第２の枠体と；を有する。そして、前記椅子本体は、前記背もたれ部の表面、前記座部の表面及び前記収納部壁面を形成する表面部材と；前記表面部材に併設され、少なくとも前記背もたれ部の一部を含む領域及び前記座部の一部を含む領域にて前記表面部材の面から離間された背面部材と；前記表面部材と前記背面部材との前記離間部に充填された弾性緩衝部材と；を有するものとすることができる。前記弾性緩衝部材は、発泡弾性部材であってよい。前記発泡弾性部材は、前記表面部材、前記背面部材及び前記第１、第２の枠体が組み立てられた状態で、前記離間部に注入されて発泡して形成することができる。
【００１１】
本考案の一実施態様によると、前記表面部材は、１枚の板材を屈曲して形成される。好ましい一実施態様によると、前記表面部材は、目視にて透視不可能な材料で形成される。又、本考案の一実施態様によると、前記背面部材は、１枚の板材を屈曲して形成される。好ましい一実施態様によると、前記背面部材は、目視にて透視不可能な材料で形成される。更に、本考案の一実施態様によると、前記第１、第２の枠体はそれぞれ、１枚の板材から形成される。好ましい一実施態様によると、前記第１、第２の枠体はそれぞれ、目視にて透視不可能な材料で形成される。
【００１２】
又、本考案の好ましい一実施態様によると、前記収納部は、前記背もたれ部の表面よりも前記座部とは反対側に最大で１０ｃｍ〜１８ｃｍの奥行きを有し、又前記座部の表面よりも下側に最大で１０ｃｍ〜２５ｃｍの深さを有する。
【考案の効果】
【００１３】
本考案によれば、カフェやレストランなどで、椅子の使用者がバッグやポーチなどの手荷物を自分の腰の後ろに置いても、座るときに窮屈にならず背もたれを使用することができ、手荷物を外部から見えないように、或いは外部からアクセスできないように、安全に、且つ、綺麗に収納することができる。従って、本考案によれば、椅子に特別の用具を取り付けることなく、バッグやポーチなどの手荷物を綺麗に、しかも安全に収納して、無理なく腰掛けることができる。
【考案を実施するための最良の形態】
【００１４】
以下、本考案に係る収納部付き椅子を図面に則して更に詳しく説明する。
【００１５】
実施例１
図１は、本考案に係る収納部付き椅子（以下、単に「椅子」という。）の一実施例の外観を示す。本実施例の椅子１００は、略水平に設けられた座部３と、座部３に対して略垂直に設けられた背もたれ部２と、背もたれ部２の下方で且つ座部３の背もたれ部２側に設けられた収納部４と、座部３から背もたれ部２へと至る方向に対し直交する方向における収納部４の両側部を覆う遮蔽部１０、１０と、を有する。以下、更に詳しく説明する。
【００１６】
椅子１００は、使用者が腰掛けた際に使用者の左右に位置する第１、第２の枠体１Ａ、１Ｂと、この第１、第２の枠体１Ａ、１Ｂの間に掛け渡された背もたれ部２及び座部３を備える椅子本体５０と、を有する。そして、椅子１００の椅子本体５０には、椅子の使用者が腰掛けた際に使用者の腰の後ろに位置する収納部４が設けられている。収納部４は、背もたれ部２及び座部３を連結する収納部壁面４１により規定される。
【００１７】
図２は、図１中のＣ−Ｃ線断面を示す。図２をも参照して、収納部４を規定する収納部壁面４１は、背もたれ部２の表面（以下「背もたれ面」という。）２１よりも座部３とは反対側（即ち、使用者が腰掛けた際の使用者の後ろ側）に窪んでおり、且つ、座部３の表面（以下「座面」という。）３１よりも下側に窪んでいる。即ち、図２に示すように、収納部壁面４１は、背もたれ面２１を含む平面αよりも座部３とは反対側に凹んでおり、又、座面３１を含む平面βよりも鉛直方向下側に凹んでいる。
【００１８】
収納部４の大きさは適宜選択することができるが、本実施例では、小型のバッグ、ポーチ、ポシェット、文庫本、目がねケースなどの手荷物（小物）を収納するのに十分な空間を有する。即ち、本実施例では、背もたれ面２１を含む平面αよりも座部３とは反対側に最大で奥行きＤ１が１３ｃｍ、座面３１を含む平面βよりも下側に最大で深さＤ２が１５ｃｍだけ窪んだ空間が形成されている。収納部４は更に大きな容積を有していてもよく、これに限定されるものではいが、奥行きＤ１は、１０ｃｍ〜１８ｃｍ、深さＤ２は、１０ｃｍ〜２５ｃｍとするのが収納性、外観の点で好ましい。
【００１９】
このように、収納部４は、背もたれ面２１よりも後方、座面３１よりも下方に窪んでいるため、使用者が椅子１００に腰掛ける際にも、バッグやポーチなどの手荷物は収納部４内に収まっており、窮屈にならずに背もたれ部２を使用することができる。
【００２０】
本実施例では、背もたれ面２１と、座面３１と、収納部壁面４１とは、１枚の連続した板材である表面部材５を屈曲することで形成される。表面部材５は、使用可能な任意の材料にて形成することができるが、少なくとも収納部壁面４１は、目視にて透視不可能な材料で形成されていることが好ましい。より好ましくは、表面部材５の全部が目視にて透視不可能な材料で形成される。本実施例では、表面部材５として、１枚のベニア板、特に、厚さ３ｍｍの曲げシナベニアを使用した。曲げシナベニアは、比較的容易に曲げることができ、又合板と比較して軽量である利点を有する。
【００２１】
又、本実施例では、椅子１００は、表面部材５に併設された、連続した１枚の板材を屈曲して形成される背面部材６を有する。背面部材６は、使用可能な任意の材料にて形成することができるが、好ましくは、表面部材５と同様に、目視にて透視不可能な材料で形成される。特に、本実施例では、背面部材６として、表面部材５と同じ厚さ３ｍｍの曲げシナベニアを用いた。
【００２２】
背面部材６は、少なくとも背もたれ部２の一部及び座部３の一部を含む領域にて表面部材５から離間される。本実施例では、表面部材５と背面部材６とは、背もたれ部２の全部及び座部３の全部の領域で離間しており、収納部４の領域で接触している。
【００２３】
背もたれ部２、座部３の位置で表面部材５と背面部材６とが離間して形成される空間にはそれぞれ、弾性緩衝部材７、８が充填される。表面部材５と背面部材６との間に挟み込まれた弾性緩衝部材７、８は、背もたれ部２及び座部３を補強する。弾性緩衝部材７、８は、使用可能な任意の材料にて形成することができるが、発泡弾性部材を好適に用いることができる。本実施例では、弾性緩衝部材７、８として発泡ウレタンを使用した。詳しくは後述するように、発泡ウレタンは、椅子１００の製造過程で、表面部材５及び背面部材６を第１、第２の枠体１Ａ、１Ｂに組み付けた状態で注入して発泡させることができる。これにより、容易に弾性緩衝部材７、８を充填できることに加え、表面部材５と背面部材６とを結合する接着効果を得ることができる。
【００２４】
このように、背もたれ部２及び座部３を、２枚の板材である表面部材５と背面部材６とで形成し、両者が離間した空間に弾性緩衝部材７、８を充填することにより、椅子１００の重量を低減することができる。
【００２５】
又、本実施例では、表面部材５と背面部材６とが離間した背もたれ部２の位置において、表面部材５と背面部材６との間に、第１、第２の枠体１Ａ、１Ｂの間に掛け渡された第１、第２の補強部材（スペーサ）９ａ、９ｂが設けられている。第１の補強部材９ａは、表面部材５及び背面部材６の端部に配置され、背もたれ部２の縁部を形成する。第２の補強部材９ｂは、第１の補強部材９ａよりも収納部４側に配置される。同様に、表面部材５と背面部材６とが離間した座部３の位置において、第３、第４の補強部材９ｃ、９ｄが設けられている。第３の補強部材９ｃは、第３の補強部材９ｃよりも収納部４側に配置される。第４の補強部材９ｄは、表面部材５及び背面部材６の端部に配置され、座部３の縁部を形成する。
【００２６】
表面部材５及び背面部材６は、その素材の表面を露出した状態としてもよいが、一部又は全部を被覆材で覆うことができる。或いは、表面部材５の一部又は全部（特に、背もたれ面２１上及び／又は座面３１上）に、緩衝材（クッション）を取り付けることもできる。このようなクッションは、表面部材５の上に取り付けた後にその上を被覆材で覆ったり、或いは被覆材で覆われた表面部材５の上に取り付けたりすることができる。本実施例では、表面部材５、背面部材６、及び背もたれ部２及び座部３の縁部を形成する第１、第４の補強部材９ａ、９ｄの全表面を覆うように、被覆材としての化粧布（図示せず）を敷設した。本実施例では、化粧布として厚さ５ｍｍのフェルトを使用した。
【００２７】
一方、構造的に椅子１００の枠になる両サイドの第１、第２の枠体１Ａ、１Ｂはそれぞれ、座部３から背もたれ部２に至る方向に対し直交する方向における椅子本体５０の両側部に連結される。即ち、第１、第２の枠体１Ａ、１Ｂは、背もたれ部２、座部３及び収納部４の一方の端部に連結される側面略Ｌ字状の支持枠部１１を有する。又、本実施例では、椅子１００は４つの脚を有するものであり、第１、第２の枠体１Ａ、１Ｂはそれぞれ、座部３よりも鉛直下方に突出するように、２本の脚部１２、１２を有する。更に、第１、第２の枠体１Ａ、１Ｂにはそれぞれ、２本の脚部１２、１２の間に掛け渡された梁部１３が形成されている。
【００２８】
そして、第１、第２の枠体１Ａ、１Ｂはそれぞれ、座部３から背もたれ部２へと至る方向に対し直交する方向における収納部４の両側部を覆う遮蔽部１０を有している。即ち、遮蔽部１０は、椅子１００を図中矢印Ａ方向に外側から見たときに、収納部４内を直視することを遮るように設けられている。より詳細には、遮蔽部１０は、背もたれ面２１及び座面３１に沿う第１の方向（矢印Ａ方向）と直交する第２の方向（矢印Ｂ方向）に沿う断面が、同方向に沿う収納部４の断面を覆うように形成される。
【００２９】
本実施例では、第１、第２の枠体１Ａ、１Ｂの遮蔽部１０の縁は、背もたれ面２１を含む平面αよりも座部３側（即ち、使用者が腰掛けた際の使用者の前側）に張り出しており、又、座面３１を含む平面βよりも鉛直方向上側に張り出している。これにより、図中矢印Ａ方向に見て、遮蔽部１０は、収納部４の断面を完全に覆う。
【００３０】
第１、第２の枠体１Ａ、１Ｂは、使用可能な任意の材料にて形成することができるが、少なくとも遮蔽部１０は、目視にて透視不可能な材料で形成されていることが好ましい。より好ましくは、第１、第２の枠体１Ａ、１Ｂの全部が目視にて透視不可能な材料で形成される。又、第１、第２の枠体１Ａ、１Ｂは、それぞれを１枚の板材から形成することが好ましく、特に、１枚の合板を切り抜いて形成することが、大量生産におけるコスト削減に点から好ましい。本実施例では、第１、第２の枠体１Ａ、１Ｂはそれぞれ、厚さ１８ｍｍの１枚のフィンランドバーチ合板を切り抜いて形成した。
【００３１】
本実施例の椅子１００は、図中矢印Ａ方向に見ると、第１、第２の枠体１Ａ、１Ｂしか見えず、収納部４内を見ることはできない。又、遮蔽部１０があるので、図中矢印Ａ方向から収納部４内にアクセスすることも困難である。そして、使用者が椅子１００に腰掛けた状態では、収納部４の前側開口部は使用者自身によって塞がれる。従って、この状態では、例えば椅子１００を斜め上から見た場合にも、収納部４内に収められた手荷物を見ることはできず、又、収納部４内にアクセスすることも困難である。
【００３２】
図３は、椅子１００を前方から見た様子を示す。又、図４は、椅子１００を後方から見た様子を示す。図示のように、本実施例の椅子１００は、前から見たときにも、収納部４内を外から見るの難しく、使用者が腰掛けた際には、使用者自身によって遮られるために、収納部４内を見ることはできない。又、椅子１００を後ろから見ても、背面部材６の表面しか見えない。尚、図５は、椅子１００を上方から見た様子を示し、図６は、椅子１００を下方から見た様子を示す。
【００３３】
このように、本実施例の椅子１００は、使用者が収納部４にバッグやポーチなどの手荷物を置いて腰掛けた状態でも、外見上は一般的な椅子と同様に見えて、手荷物がどこに置いてあるか分からないようになっている。使用者は、椅子１００の外から手荷物を見られたり、アクセスされたりする心配なく、しかも、一般的な椅子に腰掛けるときと同様に無理なく背もたれ部２を使用して腰掛けることができる。又、特に、使用者が腰掛けた際には、椅子１００の外部から収納部４内にアクセスすることは極めて困難である。
【００３４】
次に、図７を参照して、本実施例の椅子１００の製造方法について説明する。椅子１００は、以下の手順の何れかの組み合わせ又は全てを含み製造することができる。
【００３５】
先ず、遮蔽部１０、支持枠部１１、脚部１２、梁部１３が形成された第１、第２の枠体１Ａ、１Ｂを用意する。背もたれ部２等が配置される第１、第２の枠体１Ａ、１Ｂの内側表面１５には、側面略Ｌ字状の支持枠部１１の位置に、表面部材５及び背面部材６によって形成されるべき輪郭に沿って溝１６、１７が形成される。又、第１〜第４の補強部材９ａ〜９ｄの端部に設けられた突起９ａ１、９ｂ１、９ｃ１、９ｄ１が嵌入される穴１８ａ、１８ｂ、１８ｃ、１８ｄが形成される。
【００３６】
次いで、例えば、本実施例では１枚の曲げシナベニアとされる表面部材５を、先ず、第１の枠体１Ａの内側表面１５に形成された溝１６に沿って変形（屈曲）させながら、この溝１６に、表面部材５の第１の端部を嵌め込んでいく。同様に、背面部材６を第１の枠体１Ａの内側表面１５に形成された溝１７に沿って変形（屈曲）させながら、この溝１７に嵌め込んでいく。この時、溝１６、１７における表面部材５、背面部材６と第１の枠体１Ａとの接合部に、接着剤を適用してもよい。
【００３７】
次いで、第１〜第４の補強部材９ａ〜９ｄを、その第１の端部に形成された突起９ａ１〜９ｄ１を第１の枠体１Ａの内側表面１５に形成された穴１８ａ〜１８ｄに嵌入し、所定の位置に取り付ける。この時、穴１８ａ〜１８ｄにおける補強部材９ａ〜９ｄと第１の枠体１Ａとの接合部に、接着剤を適用してもよい。又、所望により、上記突起９ａ１〜９ｄ１及び穴１８ａ〜１９ｄの使用に替えて又は加えて、ビスなど適当な固定手段を使用して、補強部材９ａ〜９ｄを第２の枠体１Ｂに固定することができる。
【００３８】
次いで、第２の枠体１Ｂの内側表面１５に形成された溝１６、１７に、表面部材５及び背面部材６の第２の端部を嵌め込んでいく。この時、上記同様、溝１６、１７における表面部材５及び背面部材６と第２の枠体１Ｂとの接合部に、接着剤を適用してもよい。又、第１〜第４の補強部材９ａ〜９ｄの第２の端部に形成された突起９ａ２、９ｂ２、９ｃ２、９ｄ２を、第２の枠体１Ｂの内側表面１５に形成された穴１８ａ〜１８ｄに嵌入する。この時、上記同様、接着剤、ビスなどの固定手段を使用してもよい。これまでの手順で、椅子１００の外観ができあがる。
【００３９】
次いで、図８に示すように、予め背面部材６（或いは表面部材５）の背もたれ部２、座部３の位置に少なくとも１箇所づつ設けられた注入口７１、８１から、弾性緩衝部材７、８を形成するための未発泡のウレタンフォーム材料を注入する。ウレタンフォームが発泡、固化して弾性緩衝部材７、８が形成された後、必要であれば所定時間養生して、注入口７１、８１から飛び出したウレタンフォームを除去したり、注入口７１、８１をシールで塞ぐなどの後処理を行う。尚、注入口７１、８１は、背面部材６（或いは表面部材５）を第１、第２の枠体１Ａ、１Ｂに組み付けた後に開けることもできる。
【００４０】
弾性緩衝部材７、８として、組み立て段階で発泡するウレタンフォームなどの発泡弾性部材を使用することにより、弾性緩衝部材７、８が接着剤として機能して、表面部材５、背面部材６、第１、第２の枠体１Ａ、１Ｂ、更には第１〜第４の補強部材９ａ〜９ｄを相互に結合することができる。
【００４１】
更に、本実施例では、フェルトとされる化粧布（図示せず）を、表面部材５、背面部材６、第１、第４の補強部材９ａ、９ｄで形成される周面の全周にわたり接着により敷設する。
【００４２】
本実施例のように、表面部材５及び背面部材６の材料として手作業によっても曲げられる板材を用いる場合、表面部材５及び背面部材６を手作業により屈曲して、第１、第２の枠体１Ａ、１Ｂに組み付けることで、椅子を手作業によっても作製することができる。
【００４３】
一実施態様によれば、本考案に従う収納部付き椅子は、背もたれ部２と、座部３と、収納部４を規定する収納部壁面４１とを有する椅子本体５０を構成する部材と、第１、第２の枠体１Ａ、１Ｂと、が一組とされた収納部付き椅子の組み立てキットとして提供される。
【００４４】
又、表面部材５、背面部材６を使用して、又表面部材５と背面部材６との間の空間に弾性緩衝部材７、８を配置する場合、収納部付き椅子の組み立てキットは、椅子本体５０を構成する部品として表面部材５と、背面部材６と、弾性緩衝部材７、８と、が組み合わされていてよい。弾性緩衝部材７、８が発泡弾性部材とされる場合には、収納部付き椅子の組み立てキットには、弾性緩衝部材７、８として、未発泡状態の発泡弾性部材材料が組み合わされていてよい。
【００４５】
更に、収納部付き椅子の組み立てキットには、必要に応じて化粧布、ビスなどの固定手段、接着剤が組み合わされていてよい。
【００４６】
以上、具体的な実施例に則して本考案を説明したが、本考案は、上記実施例の態様に限定されるものではないことを理解されたい。例えば、上述のように、背もたれ部２、座部３、及び収納部４を規定する収納部壁面４１を有する椅子本体５０を２枚の板材で形成し、背もたれ部２、座部３の補強等のために弾性緩衝部材を設けることにより、軽量でありながら十分な強度が得られる利点があるが、本考案はこれに限定されるものではない。椅子本体５０は、例えば１枚の木材（合板などを含む）、プラスチック、ＦＲＰ（繊維強化プラスチック）又は金属により形成することができる。同様に、第１、第２の枠体１Ａ、１Ｂも、１枚の合板で形成することに限定されるものではなく、複数の部材に分割されていてもよい。又、第１、第２の枠体１Ａ、１Ｂは、木材以外にも、プラスチック、ＦＲＰ又は金属により形成することができる。
【産業上の利用可能性】
【００４７】
本考案の収納部付き椅子は、カフェやレストランなどでの使用に好適である他、公園や駅のベンチの用途にも好ましく適用できる。
【図面の簡単な説明】
【００４８】
【図１】本考案に係る収納部付き椅子の外観斜視図である。
【図２】図１中に示すＣ−Ｃ線断面図である。
【図３】図１に示す収納部付き椅子の正面図である。
【図４】図１に示す収納部付き椅子の背面図である。
【図５】図１に示す収納部付き椅子の平面図である。
【図６】図１に示す収納部付き椅子の底面図である。
【図７】図１に示す収納部付き椅子の分解斜視図である。
【図８】図１に示す収納部付き椅子の底面が現れた外観斜視図である。
【符号の説明】
【００４９】
１Ａ            第１の枠体
１Ｂ            第２の枠体
２              背もたれ部
３              座部
４              収納部
５              表面部材
６              背面部材
７、８          弾性緩衝部材
９              補強部材
１２            脚部
２１            背もたれ面
３１            座面
４１            収納部壁面
５０            椅子本体
１００          収納部付き椅子
【図１】
0003113517.tif 000003
【図２】
0003113517.tif 000004
【図３】
0003113517.tif 000005
【図４】
0003113517.tif 000006
【図５】
0003113517.tif 000007
【図６】
0003113517.tif 000008
【図７】
0003113517.tif 000009
【図８】
0003113517.tif 000010